(57)【要約】【課題】  航空機等の目標エコーを容易に検出する。【解決手段】  偽像エコー抑圧・置換部１５は、受信された偽像エコーを含むレーダエコーを入力し、ユーザインタフェース部１９により指定された偽像エコー抑圧領域に発生している偽像エコーを抑圧し、追尾処理部１７からの予測位置信号１０１により偽像エコー抑圧領域内に進入する前の目標エコーを追尾して記憶しておき、目標エコーが偽像エコー抑圧領域に進入したとき、抑圧した偽像エコーを含むレーダエコーと記憶している目標エコーを合成することにより、発生している偽像エコーを目標エコーに置換したレーダエコーを目標検出処理部１６に出力する。【選択図】        図１
2005265601.tif 000002
【特許請求の範囲】
【請求項１】
同一周波数の電波を送受信し他のサイトのレーダシステムと同時に運転して目標エコーを検出するレーダシステムにおいて、
受信されたレーダエコーより目標エコーを検出する目標検出処理部と、
上記目標検出処理部により検出された目標エコーの位置追尾を行い追尾した目標エコーの予測位置を示す予測位置信号を出力する追尾処理部と、
受信されたレーダエコーの中で偽像エコーが発生している領域に対して外部からの指示に基づき偽像エコー抑圧領域を指定するユーザインタフェース部と、
受信された偽像エコーを含むレーダエコーを入力し、上記ユーザインタフェース部により指定された偽像エコー抑圧領域に発生している偽像エコーを抑圧し、上記追尾処理部からの予測位置信号により上記偽像エコー抑圧領域内に進入する前の目標エコーを追尾して記憶しておき、上記目標エコーが上記偽像エコー抑圧領域に進入したとき、抑圧した偽像エコーを含むレーダエコーと記憶している目標エコーを合成することにより、発生している偽像エコーを目標エコーに置換したレーダエコーを上記目標検出処理部に出力する偽像エコー抑圧・置換部とを備えたことを特徴とするレーダシステム。
【請求項２】
同一周波数の電波を送受信し他のサイトのレーダシステムと同時に運転して目標エコーを検出するレーダシステムにおいて、
受信されたレーダエコーより目標エコーを検出する目標検出処理部と、
上記目標検出処理部により検出された目標エコーの位置追尾を行い追尾した目標エコーの予測位置を示す予測位置信号を出力する追尾処理部と、
自サイトのみ送信の１スキャン分のレーダエコーである背景エコーを記憶する背景エコーメモリ部と、
受信された偽像エコーを含むレーダエコーを入力し、上記背景エコーメモリ部に記憶されている背景エコーとの差分を求めて、発生している偽像エコーを抽出して偽像エコー抑圧領域を設定し、設定した偽像エコー抑圧領域に発生している偽像エコーを抑圧し、上記追尾処理部からの予測位置信号により上記偽像エコー抑圧領域内に進入する前の目標エコーを追尾して記憶しておき、上記目標エコーが上記偽像エコー抑圧領域に進入したとき、抑圧した偽像エコーを含むレーダエコーと記憶している目標エコーを合成することにより、発生している偽像エコーを目標エコーに置換したレーダエコーを上記目標検出処理部に出力する偽像エコー抑圧・置換部とを備えたことを特徴とするレーダシステム。
【請求項３】
偽像エコー抑圧領域と偽像エコー発生可能性の程度に応じた重み付けの数値を対にした重み付けマップを記憶している重み付けマップ記憶部を備え、
偽像エコー抑圧・置換部は、上記重み付けマップ記憶部に記憶されている重み付けの数値を考慮して、設定した偽像エコー抑圧領域に発生している偽像エコーを抑圧することを特徴とする請求項２記載のレーダシステム。
【請求項４】
電波を送受信するアンテナの仰角を制御する仰角制御部を備え、
上記仰角制御部により制御されたアンテナの各仰角で得られた各背景エコーを背景エコーメモリ部に記憶し、
偽像エコー抑圧・置換部は、上記背景エコーメモリ部に記憶されている背景エコーの中で、偽像エコーが発生していない背景エコーを使用して偽像エコー抑圧領域を設定することを特徴とする請求項２記載のレーダシステム。
【請求項５】
所定時間毎に１スキャン分の背景エコーを背景エコーメモリ部に記憶し、
偽像エコー抑圧・置換部は、上記背景エコーメモリ部に記憶されている所定時間毎の背景エコーの特徴を平均化し、平均化された背景エコーを使用して偽像エコー抑圧領域を設定することを特徴とする請求項２記載のレーダシステム。
【請求項６】
同一周波数の電波を送受信し他のサイトのレーダシステムと同時に運転して目標エコーを検出するレーダシステムにおいて、
受信されたレーダエコーより目標エコーを検出する目標検出処理部と、
上記目標検出処理部により検出された目標エコーの位置追尾を行い追尾した目標エコーの予測位置を示す予測位置信号を出力する追尾処理部と、
自サイトのみ送信の１スキャン分のレーダエコーである背景エコーを記憶する背景エコーメモリ部と、
受信された偽像エコーを含むレーダエコーを入力し、ＭＴＩ（Ｍｏｖｉｎｇ  Ｔａｒｇｅｔ  Ｉｎｄｉｃａｔｏｒ）処理を行うことにより移動している目標エコーのみを検出するＭＴＩフィルタ部と、
受信された偽像エコーを含むレーダエコーを入力し、上記背景エコーメモリ部に記憶されている背景エコーとの差分を求めて、発生している偽像エコーを抽出して偽像エコー抑圧領域を設定し、設定した偽像エコー抑圧領域に発生している偽像エコーを抑圧し、上記追尾処理部からの予測位置信号により上記偽像エコー抑圧領域内に進入する前の目標エコーを追尾し、上記目標エコーが上記偽像エコー抑圧領域に進入したとき、抑圧した偽像エコーを含むレーダエコーと上記ＭＴＩフィルタ部により検出された目標エコーを合成することにより、発生している偽像エコーを目標エコーに置換したレーダエコーを上記目標検出処理部に出力する偽像エコー抑圧・置換部とを備えたことを特徴とするレーダシステム。
【発明の詳細な説明】
【技術分野】
【０００１】
この発明は空港等に設置され航空機等の目標エコーを検出するレーダシステムに関するものである。
【背景技術】
【０００２】
従来のレーダシステムとして、例えば非特許文献１に記載されたものがある。このレーダシステムでは、送信機で発生された短いパルス幅の繰返し信号がアンテナから空間に放射される。送受切換器はアンテナを送信と受信で切り換える。目標に照射され四方に反射される信号の一部が、照射された方向へ戻りアンテナで受信されて低雑音増幅器の受信機で増幅され検出される。受信機の出力は生ビデオの形で指示器に表示したり、受信機出力を信号処理によって目標エコーの自動検出を行い、追尾することでオペレータにレーダ情報を与えている。
【０００３】
このようなレーダシステムを空港等に設置して航空機等の目標エコーを検出するために使用する場合には、レーダ覆域を拡大させるために、複数のレーダシステムを近接して設置し、同一周波数の電波環境下で同時に運転することが行われている。しかし、同一周波数を使用して複数のレーダシステムを同時に運転することにより、電波干渉による偽像エコーが発生する可能性がある。
【０００４】
【非特許文献１】吉田  孝著「改定レーダ技術」社団法人電子情報通信学会編、平成８年１０月１日、ｐ５
【発明の開示】
【発明が解決しようとする課題】
【０００５】
従来のレーダシステムは以上のように構成されているので、レーダ覆域を拡大させるために、同一周波数を使用して複数のレーダシステムを同時に運転する場合には、電波干渉による偽像エコーが発生し、航空機等の目標エコーを検出することが困難になるという課題があった。
【０００６】
この発明は上記のような課題を解決するためになされたもので、自サイトと他サイトの複数のレーダシステムを同一周波数の電波環境下で運転する場合に、相互のレーダシステム間で発生する種々の電波干渉による偽像エコーの影響を受けずに、航空機等の目標エコーを容易に検出することができるレーダシステムを得ることを目的とする。
【課題を解決するための手段】
【０００７】
この発明に係るレーダシステムは、同一周波数の電波を送受信し他のサイトのレーダシステムと同時に運転して目標エコーを検出するものにおいて、受信されたレーダエコーより目標エコーを検出する目標検出処理部と、上記目標検出処理部により検出された目標エコーの位置追尾を行い追尾した目標エコーの予測位置を示す予測位置信号を出力する追尾処理部と、受信されたレーダエコーの中で偽像エコーが発生している領域に対して外部からの指示に基づき偽像エコー抑圧領域を指定するユーザインタフェース部と、受信された偽像エコーを含むレーダエコーを入力し、上記ユーザインタフェース部により指定された偽像エコー抑圧領域に発生している偽像エコーを抑圧し、上記追尾処理部からの予測位置信号により上記偽像エコー抑圧領域内に進入する前の目標エコーを追尾して記憶しておき、上記目標エコーが上記偽像エコー抑圧領域に進入したとき、抑圧した偽像エコーを含むレーダエコーと記憶している目標エコーを合成することにより、発生している偽像エコーを目標エコーに置換したレーダエコーを上記目標検出処理部に出力する偽像エコー抑圧・置換部とを備えたものである。
【発明の効果】
【０００８】
この発明によれば、電波干渉により偽像エコーが発生しても、航空機等の目標エコーを容易に検出することができ、レーダ覆域を有効に拡大させることができるという効果がある。
【発明を実施するための最良の形態】
【０００９】
以下、この発明の実施の一形態を説明する。
実施の形態１．
図１はこの発明の実施の形態１によるレーダシステムの構成を示すブロック図である。このレーダシステムは、レーダの電波を送受信するアンテナ１１、電波を送信する送信部１３と電波を受信する受信部１４のアイソレーションをとるサーキュレータ１２、受信部１４によって受信されたレーダエコーから偽像エコーを抑圧し航空機等の目標エコーに置き換える偽像エコー抑圧・置換部１５、偽像エコー抑圧・置換部１５からのレーダエコーのレーダビデオ振幅信号により航空機等の目標エコーを自動検出する目標検出処理部１６、目標検出処理部１６で検出された目標エコーの位置追尾を行い追尾した目標エコーの予測位置を示す予測位置信号１０１を偽像エコー抑圧・置換部１５に出力する追尾処理部１７、追尾処理部１７からのレーダビデオと追尾された目標エコーを表示する表示処理部１８、表示処理部１８に表示されるレーダ画像から偽像エコー抑圧・置換部１５に対して偽像エコー抑圧領域指定信号１０２により偽像エコー抑圧領域を指定するユーザインタフェース部１９を備えている。
【００１０】
次に動作について説明する。
図２はこの実施の形態１の原理を説明する図であり、表示処理部１８に表示されるレーダ画像と、レーダ画像上のＡ−Ａ’方向に切り出したレーダエコーの振幅変化を示している。図２（ａ）は空港内の誘導路に偽像エコーが発生している状態を示し、図２（ｂ）は発生した偽像エコーを強制的に抑圧している状態を示し、図２（ｃ）は航空機が偽像エコー抑圧領域内に侵入したとき、抑圧された偽像エコーと記憶している航空機等の侵入前の目標エコーとを合成させた状態を示している。
【００１１】
表示処理部１８にはレーダビデオと追尾処理部１７により追尾された航空機等の目標エコーが表示され、図２（ａ）に示すように空港内の誘導路に偽像エコーが発生している場合に、ユーザインタフェース部１９は、レーダ操作員の指示に基づき偽像エコー抑圧領域指定信号１０２により偽像エコー抑圧・置換部１５に対して、図２（ｂ）のレーダ画像に示すように偽像エコー抑圧領域を指定する。この偽像エコー抑圧領域は発生した偽像エコーを含んだ所定の範囲の領域が指定される。偽像エコー抑圧・置換部１５は指定された偽像エコー抑圧領域に発生している偽像エコーを、図２（ｂ）のレーダエコーの振幅変化に示すように減衰させて抑圧する。
【００１２】
受信部１４からのレーダエコーは偽像エコー抑圧・置換部１５を介して目標検出処理部１６に入力され、目標検出処理部１６は偽像エコー抑圧・置換部１５からのレーダエコーのレーダビデオ振幅信号により航空機等の目標エコーを自動検出し、追尾処理部１７は航空機等の目標エコーの位置追尾を行い、追尾した目標エコーの予測位置を示す予測位置信号１０１を偽像エコー抑圧・置換部１５に出力する。
【００１３】
偽像エコー抑圧・置換部１５は追尾処理部１７からの予測位置信号１０１により偽像エコー抑圧領域内に進入する前の航空機等の目標エコーを追尾して記憶しておき、航空機等の目標エコーが指定された偽像エコー抑圧領域に進入したとき、図２（ｃ）のレーダエコーの振幅変化に示すように、抑圧した偽像エコーを含むレーダエコーと記憶している航空機等の目標エコーを合成する。このように、偽像エコー抑圧・置換部１５による偽像エコーの抑圧と航空機等の目標エコーとの合成により、等価的に偽像エコーは目標エコーに置換され、偽像エコーが目標エコーに置換されたレーダエコーは目標検出処理部１６に出力される。
【００１４】
目標検出処理部１６は偽像エコー抑圧・置換部１５からのレーダエコーのレーダビデオ振幅信号により航空機等の目標エコーを自動検出するが、このとき、偽像エコー抑圧領域内の偽像エコーは抑圧されて目標エコーに置換されているので、目標検出処理部１６は偽像エコーの影響を受けずに航空機等の目標エコーを容易に自動検出することができる。
【００１５】
また、追尾処理部１７は偽像エコーの影響を受けずに航空機等の目標エコーの位置追尾を行って、追尾した目標エコーの予測位置を示す予測位置信号１０１を偽像エコー抑圧・置換部１５に出力する。
【００１６】
さらに、表示処理部１８は、図２（ｃ）に示すように、偽像エコーが目標エコーに置換されたレーダエコーを表示することにより、レーダ操作員に対する航空機等の目標の表示の視認性を向上させることができる。
【００１７】
以上のように、この実施の形態１によれば、ユーザインタフェース部１９が、レーダ操作員の指示に基づき偽像エコー抑圧領域指定信号１０２により偽像エコー抑圧・置換部１５に対して偽像エコー抑圧領域を指定し、偽像エコー抑圧・置換部１５が、偽像エコーを減衰させて抑圧し、偽像エコー抑圧領域内に進入する前の航空機等の目標エコーを追尾処理部１７からの予測位置信号１０１により追尾して記憶しておき、目標エコーが指定された偽像エコー抑圧領域に進入したとき、偽像エコーが抑圧されたレーダエコーと記憶している目標エコーを合成することで偽像エコーを目標エコーに置換することにより、電波干渉により偽像エコーが発生しても、航空機等の目標エコーを容易に検出することができ、レーダ覆域を有効に拡大させることができるという効果が得られる。
【００１８】
また、この実施の形態１によれば、表示処理部１８に表示されるレーダエコーも、偽像エコーは抑圧されて目標エコーに置換されて表示されるので、レーダ操作員に対する航空機等の目標エコーの表示の視認性を向上することができるという効果が得られる。
【００１９】
実施の形態２．
図３はこの発明の実施の形態２によるレーダシステムの構成を示すブロック図である。このレーダシステムは、実施の形態１の図１に示すレーダシステムに、自サイトのレーダシステムのみ送信の１スキャン分のレーダエコーである背景エコーを記憶する背景エコーメモリ部２１を追加して、表示処理部１８から偽像エコー抑圧・置換部１５への偽像エコー抑圧領域指定信号１０２を削除したもので、その他の構成は図１に示す構成と同じである。
【００２０】
次に動作について説明する。
背景エコーメモリ部２１は自サイトのレーダシステムのみ動作時の１スキャン分の受信部１４によって受信されたレーダエコーである背景エコーを記憶する。この背景エコーとしては、例えば、空港面に移動している航空機等が無い場合の空港内に存在する施設等の固定物による背景エコーが記憶される。
【００２１】
偽像エコー抑圧・置換部１５は、自サイトのレーダシステムと他サイトの複数のレーダシステムが動作したときの受信部１４によって受信された偽像エコーを含むレーダエコーと、背景エコーメモリ部２１に記憶されている背景エコーの差分を求めて、発生している偽像エコーを抽出して偽像エコー抑圧領域を自動的に設定する。この偽像エコー抑圧領域は発生した偽像エコーを含んだ所定の範囲の領域が設定される。偽像エコー抑圧・置換部１５は、設定された偽像エコー抑圧領域に発生している偽像エコーを、実施の形態１と同様に減衰させて抑圧する。
【００２２】
また、偽像エコー抑圧・置換部１５は、実施の形態１と同様に、偽像エコー抑圧領域内に進入する前の航空機等の目標エコーを、追尾処理部１７からの予測位置信号１０１により追尾して記憶しておき、航空機等の目標エコーが設定した偽像エコー抑圧領域に侵入したとき、偽像エコーが抑圧されたレーダエコーと記憶している航空機等の目標エコーを合成することにより、偽像エコーを目標エコーに置換したレーダエコーを目標検出処理部１６に出力する。その他の目標検出処理部１６、追尾処理部１７及び表示処理部１８の動作は実施の形態１と同様である。
【００２３】
以上のように、この実施の形態２によれば、実施の形態１と同様の効果が得られると共に、背景エコーメモリ部２１が自サイトのレーダシステムのみ送信の１スキャン分の背景エコーを記憶し、偽像エコー抑圧・置換部１５が自サイトと他サイトの複数のレーダシステムが動作したときの偽像エコーを含むレーダエコーと記憶している背景エコーとの差分を求めて発生している偽像エコーを抽出して偽像エコー抑圧領域を自動的に設定することにより、レーダ操作員が、その都度、ユーザインタフェース部１９により偽像エコー抑圧領域を指定しなくて済むという効果が得られる。
【００２４】
実施の形態３．
図４はこの発明の実施の形態３によるレーダシステムの構成を示すブロック図である。このレーダシステムは、実施の形態２の図３に示すレーダシステムに、例えば空港内のマップ上の各領域毎に偽像エコーが発生しやすい領域と発生しにくい領域で重み付けの数値を変えた重み付けマップ１０３を記憶している重み付けマップ記憶部２２を追加したものであり、その他の構成は図３に示す構成と同じである。
【００２５】
実施の形態２では、背景エコーメモリ部２１が自サイトのレーダシステムのみ送信の１スキャン分の受信部１４によって受信された背景エコーを記憶するが、例えばレーダエコーのパスの間を航空機等が通過してレーダエコーを遮断した場合に、１スキャン毎にレーダエコーの振幅値が急激に変化してしまい、偽像エコー抑圧・置換部１５が偽像エコーを減衰させて記憶している目標エコーを合成することにより偽像エコーを目標エコーに置換して目標検出処理部１６が目標エコーを検出する際に、目標エコーを検出したり検出しなかったりするゆらぎ状態になる可能性がある。そこで、この実施の形態３では、偽像エコー抑圧・置換部１５が偽像エコーを減衰させる際に、重み付けマップ記憶部２２に記憶されている重み付けの数値を考慮して処理を行うことにより、ゆらぎ状態を解消し表示処理部１８における滑らかなレーダ画像の状態変化を実現する。
【００２６】
次に動作について説明する。
まず、重み付けマップ１０３の作成動作について説明する。偽像エコー抑圧・置換部１５は、実施の形態２と同様に、自サイトのレーダシステムと他サイトの複数のレーダシステムが動作したときの受信部１４によって受信された偽像エコーを含むレーダエコーと、背景エコーメモリ部２１に記憶されている背景エコーの差分を求めて、発生している偽像エコーを抽出して偽像エコー抑圧領域を自動的に設定し、設定した偽像エコー抑圧領域に発生している偽像エコーを、実施の形態１と同様に減衰させて抑圧する。
【００２７】
偽像エコー抑圧・置換部１５により設定された偽像エコー抑圧領域は目標検出処理部１６及び追尾処理部１７を介して表示処理部１８に表示される。ユーザインタフェース部１９は、レーダ操作員の指示に基づき、表示処理部１８に表示されている各偽像エコー抑圧領域について、偽像エコー発生可能性の程度に応じた重み付けの数値を指定し、表示処理部１８を介して、偽像エコー抑圧領域と偽像エコー発生可能性の程度に応じた重み付けの数値を対にした重み付けマップ１０３を重み付けマップ記憶部２２に記憶させる。この重み付けの数値は、例えば空港内の誘導路や滑走路等で交通量の多さにより経験的な値が与えられ、偽像エコー抑圧領域のデータである受信レーダビデオの当該時刻と方位に重み付けの数値が乗算されている。
【００２８】
次に実際の目標エコー検出の動作について説明する。偽像エコー抑圧・置換部１５は、実施の形態２と同様に、自サイトのレーダシステムと他サイトの複数のレーダシステムが動作したときの受信部１４によって受信された偽像エコーを含むレーダエコーと、背景エコーメモリ部２１に記憶されている背景エコーの差分を求めて、発生している偽像エコーを抽出して偽像エコー抑圧領域を自動的に設定する。そして、偽像エコー抑圧・置換部１５は、重み付けマップ記憶部２２に記憶されている重み付けの数値を考慮して、発生している偽像エコーを減衰させて抑圧する。例えば、偽像エコーが発生しやすい領域で非常に大きなレベルの偽像エコーが発生している場合には、目標エコーとのレベル差を確保するために大きく減衰させる。
【００２９】
偽像エコー抑圧・置換部１５は、偽像エコー抑圧領域内に進入する前の航空機等の目標エコーを、追尾処理部１７からの予測位置信号１０１により追尾して記憶しておき、航空機等の目標エコーが設定した偽像エコー抑圧領域に侵入したとき、偽像エコーが重み付けの数値を考慮して抑圧された偽像エコーを含むレーダエコーと記憶している航空機等の目標エコーを合成することにより、偽像エコーを目標エコーに置換したレーダエコーを目標検出処理部１６に出力する。
【００３０】
目標検出処理部１６は偽像エコー抑圧・置換部１５からのレーダエコーのレーダビデオ振幅信号により航空機等の目標エコーを自動検出するが、このとき、偽像エコー抑圧領域内の大きなレベルの偽像エコーでも十分に抑圧されて目標エコーに置換されているので、目標検出処理部１６は偽像エコーの影響を受けずに、目標エコーを検出したり検出しなかったりするゆらぎ状態とならず、航空機等の目標エコーを容易に自動検出することができる。
【００３１】
以上のように、この実施の形態３によれば、実施の形態２と同様の効果が得られると共に、重み付けマップ記憶部２２が偽像エコーが発生しやすい領域と発生しにくい領域で重み付けの数値を変えた重み付けマップ１０３を記憶し、偽像エコー抑圧・置換部１５が、重み付けマップ記憶部２２に記憶されている重み付けの数値を考慮して偽像エコーを減衰させて、記憶している目標エコーを合成し、偽像エコーを目標エコーに置換することにより、目標を検出したり検出しなかったりするゆらぎ状態を解消し、表示処理部１８における滑らかなレーダ画像の状態変化を実現することができるという効果が得られる。
【００３２】
実施の形態４．
図５はこの発明の実施の形態４によるレーダシステムの構成を示すブロック図である。このレーダシステムは、実施の形態２の図３に示すレーダシステムに、受信部１４からのレーダエコーを入力し、ＭＴＩ（Ｍｏｖｉｎｇ  Ｔａｒｇｅｔ  Ｉｎｄｉｃａｔｏｒ）処理を行うことにより、移動している目標エコーのみを検出するＭＴＩフィルタ部２３を追加したもので、その他の構成は図３に示す構成と同じである。
【００３３】
次に動作について説明する。
図６はこの実施の形態４の動作原理を説明する図である。図６（ａ）は受信部１４からのレーダエコーを示す図であり、航空機の目標エコーと偽像エコーが出力されている。ＭＴＩフィルタ部２３は、受信部１４からのレーダエコーを入力し、ＭＴＩ処理を行うことにより、図６（ｂ）に示すように、空港内の施設や、固定点に発生している偽像エコーを消去して、移動している航空機等の目標エコーのみを検出する。
【００３４】
偽像エコー抑圧・置換部１５は、追尾処理部１７からの予測位置信号１０１により偽像エコー抑圧領域内に進入する前の航空機等の目標エコーを追尾し、背景エコーメモリ部２１に記憶されている図６（ｃ）に示す自サイトのレーダシステムのみ送信の１スキャン分の偽像エコーのないレーダエコーと、ＭＴＩフィルタ部２３により検出された図６（ｂ）に示す移動している航空機等の目標エコーを合成することにより、図６（ｄ）に示すように、偽像エコーの無いレーダエコーを目標検出処理部１６に出力する。
【００３５】
目標検出処理部１６は偽像エコー抑圧・置換部１５からの偽像エコーの無いレーダエコーのレーダビデオ振幅信号により航空機等の目標エコーを自動検出し、追尾処理部１７は偽像エコーの影響を受けずに航空機等の目標エコーの位置追尾を行う。
【００３６】
以上のように、この実施の形態４によれば、偽像エコー抑圧・置換部１５が、背景エコーメモリ部２１に記憶されている自サイトのレーダシステムのみ送信の１スキャン分の偽像エコーのない背景エコーと、ＭＴＩフィルタ部２３により検出された移動している航空機等の目標エコーを合成することで偽像エコーの無いレーダエコーを生成することにより、電波干渉により偽像エコーが発生しても、航空機等の目標を容易に検出するができ、レーダ覆域を有効に拡大させることができるという効果が得られる。
【００３７】
また、この実施の形態４によれば、実施の形態２と同様に、レーダ操作員が、その都度、ユーザインタフェース部１９により偽像エコー抑圧領域を指定しなくて済むという効果が得られる。
【００３８】
実施の形態５．
図７はこの発明の実施の形態５によるレーダシステムの構成を示すブロック図である。このレーダシステムは、実施の形態２の図３に示すレーダシステムに、アンテナ１１の仰角方向の角度制御を行う仰角制御部２４を追加したもので、その他の構成は図３に示す構成と同じである。実施の形態２では、自サイトのレーダシステムのみ送信の１スキャン分の背景エコーが背景エコーメモリ部２１に記憶されるが、アンテナ１１の仰角によって電波伝搬の経路が変化することにより、背景エコーメモリ部２１に記憶される背景エコーに偽像エコーが発生する可能性があり、この場合、偽像エコー抑圧・置換部１５が、偽像エコーが発生している背景エコーを使用すると、自サイトのレーダシステムと他サイトの複数のレーダシステムが動作したときに発生する偽像エコーを精度良く抽出できないことがある。
【００３９】
次に動作について説明する。
ユーザインタフェース部１９は、レーダ操作員の指示に基づき、アンテナ１１の仰角値１０４を指定し仰角制御部２４に出力する。仰角制御部２４は指定された仰角値１０４に基づきアンテナ１１の仰角を制御すると共に、指定された仰角値１０４を背景エコーメモリ部２１に出力する。
【００４０】
仰角制御部２４により制御されたアンテナ１１の仰角で得られた受信部１４からの自サイトのレーダシステムのみ送信の１スキャン分のレーダエコーは、仰角制御部２４から出力された仰角値１０４と対にして背景エコーメモリ部２１に記憶される。このようにして、背景エコーメモリ部２１には、仰角制御部２４により制御された数種類の仰角値１０４で得られた数種類の背景エコーが記憶される。アンテナ１１の仰角により電波伝搬の経路が変化することにより、受信部１４から出力され背景エコーメモリ部２１に記憶される数種類の背景エコーの中には、偽像エコーが発生している背景エコーや偽像エコーが発生していない背景エコーが含まれている。
【００４１】
偽像エコー抑圧・置換部１５は、自サイトのレーダシステムと他サイトの複数のレーダシステムが動作したときの受信部１４によって受信された偽像エコーを含むレーダエコーと、背景エコーメモリ部２１に記憶されている偽像エコーが発生していない背景エコーの差分を求めて、発生している偽像エコーを抽出して偽像エコー抑圧領域を自動的に設定する。このように、偽像エコーを抽出する際に、偽像エコーが発生していない背景エコーを使用した方が、自サイトのレーダシステムと他サイトの複数のレーダシステムが動作したときに発生する偽像エコーを精度良く抽出することができる。その他の処理は実施の形態２と同様である。
【００４２】
以上のように、この実施の形態５によれば、実施の形態２と同様の効果が得られると共に、偽像エコー抑圧・置換部１５が、偽像エコーが発生していない背景エコーを使用して、自サイトのレーダシステムと他サイトの複数のレーダシステムが動作したときに発生する偽像エコーを精度よく抽出して偽像エコー抑圧領域を設定することにより、目標エコー検出の信頼性を向上させることができるという効果が得られる。
【００４３】
実施の形態６．
この発明の実施の形態６によるレーダシステムの構成を示すブロック図は、実施の形態２の図３と同じである。
【００４４】
次に動作について説明する。
背景エコーメモリ部２１には、任意に設定した所定時間毎に１スキャン分の受信部１４からの背景エコーが記憶されている。偽像エコー抑圧・置換部１５は、背景エコーメモリ部２１に記憶されている所定時間毎にサンプリングした背景エコーの特徴を平均化することにより、背景エコーメモリ部２１に記憶されている急激な変化を受けて突出したスパイク状の背景エコーを平均化する。
【００４５】
そして、偽像エコー抑圧・置換部１５は、自サイトのレーダシステムと他サイトのレーダシステムが動作したときの受信部１４によって受信された偽像エコーを含むレーダエコーと、平均化された背景エコーとの差分を求めて、発生している偽像エコーを抽出して偽像エコー抑圧領域を自動的に設定する。このように、偽像エコー抑圧・置換部１５は、突出したスパイク状の背景エコーを使用せずに平均化された背景エコーを使用することにより、偽像エコー抑圧領域を精度良く設定することができる。
【００４６】
偽像エコー抑圧・置換部１５のその他の処理は実施の形態２と同様であり、目標検出処理部１６、追尾処理部１７及び表示処理部１８の動作も実施の形態２と同様である。
【００４７】
以上のように、この実施の形態６によれば、実施の形態２と同様の効果が得られると共に、偽像エコー抑圧・置換部１５がレーダエコーの急激な変化に対しても平均化された背景エコーを算出することにより、偽像エコー抑圧領域を精度良く設定することができ、偽像エコーを効果的に抑制し目標を精度良く検出することができるという効果が得られる。
【図面の簡単な説明】
【００４８】
【図１】この発明の実施の形態１によるレーダシステムの構成を示すブロック図である。
【図２】この発明の実施の形態１の原理を説明する図である。
【図３】この発明の実施の形態２によるレーダシステムの構成を示すブロック図である。
【図４】この発明の実施の形態３によるレーダシステムの構成を示すブロック図である。
【図５】この発明の実施の形態４によるレーダシステムの構成を示すブロック図である。
【図６】この発明の実施の形態４の動作原理を説明する図である。
【図７】この発明の実施の形態５によるレーダシステムの構成を示すブロック図である。
【符号の説明】
【００４９】
１１  アンテナ、１２  サーキュレータ、１３  送信部、１４  受信部、１５  偽像エコー抑圧・置換部、１６  目標検出処理部、１７  追尾処理部、１８  表示処理部、１９  ユーザインタフェース部、２１  背景エコーメモリ部、２２  重み付けマップ記憶部、２３  ＭＴＩフィルタ部、２４  仰角制御部、１０１  予測位置信号、１０２  偽像エコー抑圧領域指定信号、１０３  重み付けマップ、１０４  仰角値。
【図１】
2005265601.tif 000003
【図２】
2005265601.tif 000004
【図３】
2005265601.tif 000005
【図４】
2005265601.tif 000006
【図５】
2005265601.tif 000007
【図６】
2005265601.tif 000008
【図７】
2005265601.tif 000009